(57)【要約】【課題】カール原稿又は折れ原稿等がセットされた場合においても、原稿サイズを正確に判断することのできる自動原稿搬送装置を提供する。【解決手段】自動原稿搬送装置１５２は、原稿を載置するための原稿トレイ２５２と、原稿トレイ２５２上の原稿のサイズ情報を検知するための原稿サイズ情報センサと、原稿画像の読取開始の要求を受付けるコピーキーと、コピーキーが要求を受付けたことに応答して、原稿サイズ情報センサの検知結果に基づいて、原稿が載置されてから要求を受付けるまでの間に、サイズ情報の変化があったか否かを判定する判定機能、判定機能によってサイズ情報の変化があったと判定された場合に、サイズ情報の誤検知が生じた可能性があると判断する判断機能、及び、判定機能によってサイズ情報の変化がなかったと判定された場合に、サイズ情報に基づいて、原稿サイズを確定する確定機能を有する制御部と、を含むようにする。【選択図】  図３
2011046487.tif 000002
【特許請求の範囲】
【請求項１】
原稿画像を読取るための読取部に対して原稿を自動で搬送する自動原稿搬送装置であって、
搬送される原稿を載置するための原稿トレイと、
前記原稿トレイ上の原稿のサイズ情報を検知するための第１の検知部と、
原稿画像の読取開始の要求を受付ける受付部と、
前記受付部が前記要求を受付けたことに応答して、前記第１の検知部の検出結果に基づいて、前記原稿が載置されてから前記要求を受付けるまでの間に、前記サイズ情報の変化があったか否かを判定する判定部と、
前記判定部によって前記サイズ情報の変化があったと判定された場合に、前記サイズ情報の誤検知が生じた可能性があると判断する判断部と、
前記判定部によって前記サイズ情報の変化がなかったと判定された場合に、前記サイズ情報に基づいて、前記原稿トレイに載置された原稿の原稿サイズを確定する確定部と、を含む自動原稿搬送装置。
【請求項２】
原稿の搬送途中にて、原稿のサイズ情報を検知するための第２の検知部と、
前記判断部によって、前記サイズ情報の誤検知が生じた可能性があると判断された場合に、前記第２の検知部に対し、前記原稿のサイズ情報を検知させる制御部と、をさらに含む、請求項１に記載の自動原稿搬送装置。
【請求項３】
前記確定部は、前記判定部によって前記サイズ情報の変化があったと判定された場合には、前記第２の検知部によって検知された前記サイズ情報に基づいて、前記原稿トレイに載置された原稿の原稿サイズを確定する、請求項２に記載の自動原稿搬送装置。
【請求項４】
前記判断部によって、前記サイズ情報の誤検知が生じた可能性があると判断された場合に、ユーザに対し、前記サイズ情報の誤検知が生じたことを通知する通知部をさらに含む、請求項１〜３のいずか１つに記載の自動原稿搬送装置。
【請求項５】
表示部と、
前記判断部によって、前記サイズ情報の誤検知が生じた可能性があると判断された場合に、前記表示部に対し、原稿の正しいサイズ情報をユーザに選択させるための複数のサイズ情報を表示させる表示制御部と、
前記表示に基づくユーザの選択結果を受付ける選択受付部と、をさらに含む、請求項１〜請求項４のいずれか１つに記載の自動原稿搬送装置。
【請求項６】
前記第１の検知部は、原稿の搬送方向の長さを検知する原稿長さ検知部と、原稿の搬送方向に対して垂直方向の長さを検知する原稿幅検知部と、を含む、請求項１〜請求項５のいずれか１つに記載の自動原稿搬送装置。
【請求項７】
前記判断部は、前記判定部によって、前記原稿長さ検知部によって検知された前記サイズ情報の変化があったと判定された場合に、前記サイズ情報の誤検知が生じた可能性があると判断する、請求項６に記載の自動原稿搬送装置。
【請求項８】
前記確定部は、複数の原稿が前記原稿トレイに載置された場合に、最初に確定した原稿サイズを、他の原稿の原稿サイズとみなす、請求項１〜請求項７のいずれか１つに記載の自動原稿搬送装置。
【請求項９】
請求項１〜請求項８のいずれか１つに記載の自動原稿搬送装置を含む画像形成装置。
【発明の詳細な説明】
【技術分野】
【０００１】
本発明は、自動原稿搬送装置、及び、その自動原稿搬送装置を備える画像形成装置に関し、特に、原稿サイズを正しく判断するための技術に関する。
【背景技術】
【０００２】
従来の自動原稿搬送装置には、原稿をセットするための原稿トレイ上に、原稿サイズを検知するための原稿サイズ情報センサが設けられるとともに、原稿搬送経路の途中に、原稿搬送途中にて原稿サイズを検知するための原稿搬送センサが設けられるものがある。
【０００３】
例えば、後掲の特許文献１には、原稿搬送路の途中に、原稿長さを検知するための第１検知センサと、原稿幅を検知するための第２検知センサと、を備える自動原稿搬送装置について開示されている。この自動原稿搬送装置は、第２検知センサによって検知された原稿幅情報に基づいて原稿サイズの候補を抽出し、この抽出した原稿サイズの候補の中の１つを仮の原稿サイズに決定する。そして、仮の原稿サイズを適用して画像処理を実施したときにエラーが発生するか否かを判定し、エラーが発生すると判定した場合に、原稿サイズの候補の中で仮の原稿サイズを変更することで、原稿サイズの確定前に正しい原稿サイズを予測している。
【先行技術文献】
【特許文献】
【０００４】
【特許文献１】特開２００６−７４１２４号公報
【発明の概要】
【発明が解決しようとする課題】
【０００５】
特許文献１等に開示される従来の自動原稿搬送装置において、丸まった状態の原稿（以下「カール原稿」と記す。）、又は、折れ曲った状態の原稿（以下「折れ原稿」と記す。）がセットされることがある。この場合、ユーザは、まず、カール原稿又は折れ原稿を手で押さえて引き延ばした状態で原稿トレイ上にセットした後、コピーキーを押下するために、カール原稿又は折れ原稿から手を離す。これによって、コピーキーの押下時には、カール原稿は丸まった状態となり、折れ原稿は折れ目に沿って折れ曲がった状態となる。このとき、原稿サイズ情報センサは、正しい原稿サイズ（例えばＡ３サイズ）よりも小さい原稿サイズ（例えばＡ４サイズ）を誤検知してしまう。
【０００６】
この状態で原稿が搬送され、原稿搬送センサによって正しい原稿サイズが検知されると、制御部等によって原稿サイズ情報センサと原稿搬送センサとの検出結果が異なると判断される。この結果、例えば「原稿サイズに誤りがあります。ジョブをキャンセルします。」等の原稿サイズエラーを示すメッセージが表示パネル等に表示され、印刷処理がキャンセルされてしまうという問題が生じる場合がある。又は、誤った用紙サイズで給紙された記録用紙に対して印刷処理が実行され、印字不良が発生してしまうという問題が生じる場合がある。
【０００７】
本発明の目的は、カール原稿又は折れ原稿等がセットされた場合においても、原稿サイズを正確に判断することのできる自動原稿搬送装置、及び、その自動原稿搬送装置を備える画像形成装置を提供することである。
【課題を解決するための手段】
【０００８】
本発明の第１の局面に係る自動原稿搬送装置は、原稿画像を読取るための読取部に対して原稿を自動で搬送する自動原稿搬送装置であって、搬送される原稿を載置するための原稿トレイと、原稿トレイ上の原稿のサイズ情報を検知するための第１の検知部と、原稿画像の読取開始の要求を受付ける受付部と、受付部が要求を受付けたことに応答して、第１の検知部の検出結果に基づいて、原稿が載置されてから要求を受付けるまでの間に、サイズ情報の変化があったか否かを判定する判定部と、判定部によってサイズ情報の変化があったと判定された場合に、サイズ情報の誤検知が生じた可能性があると判断する判断部と、判定部によってサイズ情報の変化がなかったと判定された場合に、サイズ情報に基づいて、原稿トレイに載置された原稿の原稿サイズを確定する確定部と、を含む。
【０００９】
このように、自動原稿搬送装置は、原稿が載置されてから原稿画像の読取開始の要求を受付けるまでの間に、第１の検知部によって検知された原稿のサイズ情報の変化があったと判定された場合には、サイズ情報の誤検知が生じた可能性があると判断する。したがって、原稿トレイに、カール原稿又は折れ原稿等がセットされた場合に生じるサイズ情報の誤検知を防止することができるので、カール原稿又は折れ原稿等がセットされた場合においても、原稿サイズを正確に判断することができる。
【００１０】
好ましくは、自動原稿搬送装置は、原稿の搬送途中にて、原稿のサイズ情報を検知するための第２の検知部と、判断部によって、サイズ情報の誤検知が生じた可能性があると判断された場合に、第２の検知部に対し、原稿のサイズ情報を検知させる制御部と、をさらに含む。このように、自動原稿搬送装置は、サイズ情報の誤検知が生じた可能性があると判断された場合に、第２の検知部によって原稿のサイズ情報の再検知を行なう。したがって、原稿トレイに、カール原稿又は折れ原稿等がセットされた場合においても、正確な原稿サイズ情報を確実に得ることができる。
【００１１】
より好ましくは、確定部は、判定部によってサイズ情報の変化があったと判定された場合には、第２の検知部によって検知されたサイズ情報に基づいて、原稿トレイに載置された原稿の原稿サイズを確定する。このように、再検知した原稿サイズに基づいて原稿サイズを確定するので、原稿トレイに、カール原稿又は折れ原稿等がセットされた場合においても、正確な原稿サイズ情報をさらに確実に得ることができる。
【００１２】
さらに好ましくは、自動原稿搬送装置は、判断部によって、サイズ情報の誤検知が生じた可能性があると判断された場合に、ユーザに対し、サイズ情報の誤検知が生じたことを通知する通知部をさらに含む。これによって、ユーザは、サイズ情報の誤検知が生じたことを容易に知ることができるので、ユーザの利便性がより一層向上する。
【００１３】
さらに好ましくは、自動原稿搬送装置は、表示部と、判断部によって、サイズ情報の誤検知が生じた可能性があると判断された場合に、表示部に対し、原稿の正しいサイズ情報をユーザに選択させるための複数のサイズ情報を表示させる表示制御部と、表示に基づくユーザの選択結果を受付ける選択受付部と、をさらに含む。
【００１４】
このように、サイズ情報の誤検知が生じた可能性があると判断された場合に、ユーザに対し、原稿の正しいサイズ情報を選択させるので、原稿トレイに、カール原稿又は折れ原稿等がセットされた場合においても、正確な原稿サイズ情報をさらに確実に得ることができる。
【００１５】
さらに好ましくは、第１の検知部は、原稿の搬送方向の長さを検知する原稿長さ検知部と、原稿の搬送方向に対して垂直方向の長さを検知する原稿幅検知部と、を含む。これによって、原稿のサイズ情報の変化をより正確に検知することができる。したがって、原稿トレイに、カール原稿又は折れ原稿等がセットされた場合に生じるサイズ情報の誤検知をより一層確実に防止することができる。
【００１６】
さらに好ましくは、判断部は、判定部によって、原稿長さ検知部によって検知されたサイズ情報の変化があったと判定された場合に、サイズ情報の誤検知が生じた可能性があると判断する。このように、原稿長さ検知部の検知結果に基づいて、サイズ情報の誤検知が生じた可能性があることを判断するので、原稿トレイに、カール原稿又は折れ原稿等がセットされた場合に生じるサイズ情報の誤検知をさらに確実に防止することができる。
【００１７】
さらに好ましくは、確定部は、複数の原稿が原稿トレイに載置された場合に、最初に確定した原稿サイズを、他の原稿の原稿サイズとみなす。複数の原稿が原稿トレイに載置される場合には、全て同サイズの原稿である可能性が高い。したがって、上記したように、最初に確定した原稿サイズを他の原稿の原稿サイズとみなすことによって、確定部にかかる負荷を低減することができる。
【００１８】
本発明の第２の局面に係る画像形成装置は、前記自動原稿搬送装置を含む。したがって、原稿サイズの誤検知に起因する印刷処理のキャンセル及び印字不良等の不具合を低減することができる。
【発明の効果】
【００１９】
本発明によれば、自動原稿搬送装置は、原稿が載置されてから原稿画像の読取開始の要求を受付けるまでの間に、第１の検知部によって検知された原稿のサイズ情報の変化があったと判定された場合には、サイズ情報の誤検知が生じた可能性があると判断する。したがって、原稿トレイに、カール原稿又は折れ原稿等がセットされた場合に生じるサイズ情報の誤検知を防止することができるので、カール原稿又は折れ原稿等がセットされた場合においても、原稿サイズを正確に判断することができる。
【図面の簡単な説明】
【００２０】
【図１】本発明の一実施の形態に係る画像形成装置の外観構成を示す斜視図である。
【図２】図１に示す画像形成装置の内部構成を簡略化して示す図である。
【図３】図１に示す画像形成装置の画像読取部における自動原稿搬送装置の内部構成を簡略化して示す図である。
【図４】図３に示す自動原稿搬送装置の上面図である。
【図５】原稿サイズ検知テーブルの一例を示す図である。
【図６】原稿搬送途中にて原稿の搬送方向の長さを検知する動作を説明するための図である。
【図７】図１に示す画像形成装置のハードウェア構成を示すブロック図である。
【図８】表示パネルに表示されるコピー設定画面の一例を示す図である。
【図９】本発明の一実施の形態に係る原稿サイズ判断処理を実現するためのプログラムの制御構造をフローチャート形式で示す図である。
【図１０】ユーザが原稿をセットするときの様子を示す図である。
【図１１】本発明の一実施の形態の第１の変形例に係る原稿サイズ判断処理を実現するためのプログラムの制御構造をフローチャート形式で示す図である。
【図１２】コピー設定画面上に表示される確認メッセージ及び確認ボタンの一例を示す図である。
【図１３】本発明の一実施の形態の第２の変形例に係る原稿サイズ判断処理を実現するためのプログラムの制御構造をフローチャート形式で示す図である。
【図１４】コピー設定画面上に表示される確認メッセージ及び選択ボタンの一例を示す図である。
【図１５】本発明の一実施の形態の第３の変形例に係る原稿サイズ判断処理を実現するためのプログラムの制御構造をフローチャート形式で示す図である。
【図１６】本発明の一実施の形態の第４の変形例に係る原稿サイズ判断処理を実現するためのプログラムの制御構造をフローチャート形式で示す図である。
【図１７】モード切替時において、コピー設定画面上に表示される通知メッセージの一例を示す図である。
【発明を実施するための形態】
【００２１】
以下の説明及び図面においては、同一の部品には同一の参照符号及び名称を付してある。それらの機能も同様である。したがって、それらについての詳細な説明をその都度繰返すことはしない。
【００２２】
［画像形成装置１５０］
図１は、本発明の一実施の形態に係る画像形成装置１５０の外観構成を示す斜視図である。図２は、画像形成装置１５０の内部構成を簡略化して示す図である。図１（Ａ）、図１（Ｂ）及び図２を参照して、画像形成装置１５０は、画像読取部１５１、画像形成部１５４、給紙部１５６、排紙処理装置１５８、及び、操作装置１６６を備える。画像読取部１５１は、自動原稿搬送装置１５２を備える。
【００２３】
画像形成装置１５０の上部に設けられる画像読取部１５１には、例えば、自動原稿搬送装置１５２を使用できない本等の厚手の原稿を載置するための透明ガラスからなる原稿台１５３が設けられる。原稿台１５３の下方には、露光用ランプ及びレンズ等の光学系、並びに、ＣＣＤ（Ｃｈａｒｇｅ−Ｃｏｕｐｌｅｄ  Ｄｅｖｉｃｅ）ラインセンサ等を含むスキャナユニット１５５が設けられる。原稿台１５３の上方には、自動原稿搬送装置１５２が取り付けられる。自動原稿搬送装置１５２は、原稿台１５３上の所定の原稿読取部２９０の位置に原稿を自動で搬送する。図１に示すように、自動原稿搬送装置１５２は斜め上方へ回動自在に構成され、原稿台１５３の上方を開放することによって、ユーザが原稿を原稿台１５３上に手動で載置できるようになっている。自動原稿搬送装置１５２の開閉は、自動原稿搬送装置１５２の内部に設けられる開閉検知センサ（図示せず。）によって検知され、検知結果は後述する制御部３１０（図７参照）に対して出力される。自動原稿搬送装置１５２の詳細については後述する。
【００２４】
以下、印刷処理時における動作説明を行なうことによって、画像形成装置１５０の内部構成の説明とする。
【００２５】
画像形成装置１５０において、原稿台１５３に載置された原稿の画像、又は、自動原稿搬送装置１５２によって自動搬送された原稿の画像は、画像読取部１５１のスキャナユニット１５５によって画像データとして読取られる。読取られた画像データは、図７に示すマイクロコンピュータ等から構成されるＣＰＵ（Ｃｅｎｔｒａｌ  Ｐｒｏｃｅｓｓｉｎｇ  Ｕｎｉｔ）３００に入力され、ここ（又は画像処理部３２０）で各種の画像処理が施された後、画像形成部１５４に対して出力される。上記したように、原稿の画像が読取られる場合には、原稿台１５３に載置された原稿が静止した状態で読取られる場合（以下「原稿台１５３からのスキャン動作」と記す場合がある。）と、自動原稿搬送装置１５２によって自動搬送される原稿が搬送途中で読取られる場合（以下「自動原稿搬送装置１５２によるスキャン動作」と記す場合がある。）と、がある。
【００２６】
画像形成部１５４は、画像データに基づいて原稿の画像を記録用紙に印刷するものである。画像形成部１５４は、感光体ドラム２２２、帯電装置２２４、レーザスキャンユニット（以下、「ＬＳＵ」と称する。）２２６、現像装置２２８、転写装置２３０、クリーニング装置２３２、定着装置２３４、及び、図示しない除電装置等を備える。
【００２７】
画像形成部１５４には、主搬送路２３６及び反転搬送路２３８が設けられ、給紙部１５６から給紙されてきた記録用紙が主搬送路２３６に沿って搬送される。給紙部１５６は、用紙カセット２４０Ａ〜２４０Ｃのいずれかに収納された記録用紙、又は、手差トレイ２４２に載置された記録用紙を１枚ずつ引出して画像形成部１５４の主搬送路２３６へと送り出す。手差しトレイ２４２は、ユーザが手動により所望の記録用紙を設置するためのトレイである。用紙カセット２４０Ａ〜２４０Ｃは、異なる大きさの記録用紙を収納するためのトレイである。本実施の形態において、用紙カセット２４０ＡにはＡ３サイズの記録用紙が収納され、用紙カセット２４０ＢにはＡ４サイズの記録用紙が収納され、用紙カセット２４０ＣにはＢ５サイズの記録用紙が収納される。なお、用紙カセット２４０Ａ〜２４０Ｃに収納される記録用紙の原稿サイズは、上記のものに限定されない。手差しトレイ２４２及び用紙カセット２４０Ａ〜２４０Ｃのうちのいずれに収容される記録用紙を給紙するかは、後述する制御部３１０によって決定される。
【００２８】
画像形成部１５４の主搬送路２３６に沿って記録用紙が搬送されている途中、すなわち、記録用紙が感光体ドラム２２２と転写装置２３０との間を通過し、更に定着装置２３４を通過する際に、記録用紙に対する原稿画像の印刷が行なわれる。
【００２９】
感光体ドラム２２２は、一方向に回転し、その表面は、クリーニング装置２３２と除電装置によりクリーニングされた後、帯電装置２２４により均一に帯電される。
【００３０】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００３１】
現像装置２２８は、トナーを感光体ドラム２２２の表面に供給して静電潜像を現像し、トナー像を感光体ドラム２２２の表面に形成する。
【００３２】
転写装置２３０は、当該転写装置２３０と感光体ドラム２２２との間を通過していく記録用紙に感光体ドラム２２２の表面のトナー像を転写する。
【００３３】
定着装置２３４は、記録用紙を加熱するための加熱ローラ２４８と、記録用紙を加圧するための加圧ローラ２５０とを含む。記録用紙は、加熱ローラ２４８によって加熱され、加圧ローラ２５０によって加圧される。これによって、記録用紙上に転写されたトナー像が記録用紙に定着される。
【００３４】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４から送出される記録用紙が排紙トレイ２４６又は排紙処理装置１５８の方へと導かれる。
【００３５】
記録用紙の両面に印刷が行なわれる場合は、分岐爪２４４が所定方向に回動され、この分岐爪２４４により記録用紙が反転搬送路２３８の方へと導かれる。記録用紙は、反転搬送路２３８を通過し、その表裏が反転されて主搬送路２３６へと再び搬送される。記録用紙は、主搬送路２３６における再度の搬送途中で、その裏面への印刷が行なわれて排紙トレイ２４６又は排紙処理装置１５８の方へと導かれる。
【００３６】
上記のようにして印刷された記録用紙は、排紙トレイ２４６の方へと導かれて排紙トレイ２４６に排出される、又は、排紙処理装置１５８の方へと導かれて排紙処理装置１５８の各排紙トレイ１６８のいずれかに排出される。
【００３７】
排紙処理装置１５８では、複数の記録用紙を各排紙トレイ１６８に仕分けして排出する処理、各記録用紙にパンチングする処理、及び、各記録用紙にステープルする処理を施す。例えば、複数部の印刷物を作成する場合は、各排紙トレイ１６８に印刷物の一部ずつが割り当てられるように、各記録用紙を各排紙トレイ１６８に仕分けして排出し、排紙トレイ１６８ごとに、排紙トレイ１６８上の各記録用紙にパンチング処理又はステープル処理を施して印刷物を作成する。
【００３８】
上記した印刷処理は、操作装置１６６に設けられる、印刷処理の開始を要求するためのコピーキーを押下することによって開始される。操作装置１６６の構成については後述する。
【００３９】
［自動原稿搬送装置１５２］
＜自動原稿搬送装置１５２の構成＞
図３は、画像形成装置１５０の画像読取部１５１における自動原稿搬送装置１５２の内部構成を簡略化して示す図である。図３を参照して、自動原稿搬送装置１５２は、原稿（１枚であっても２枚以上の原稿束であっても構わない。）を載置（セット）するための原稿トレイ２５２と、原稿トレイ２５２上の原稿の有無を検出するための原稿有無センサ２５３と、原稿トレイ２５２上の原稿の搬送方向の長さを検知するための原稿長さ検知センサ２５４，２５５と、駆動ローラであるピックアップローラ２５６と、２枚以上の原稿束から原稿を１枚ずつ分離する駆動ローラである給紙ローラ２５７及びこれと対をなすセパレーションローラ２５８と、を備える。ピックアップローラ２５６は、給紙時には原稿に接する位置まで下降し、給紙時以外においては上昇して待機する。
【００４０】
自動原稿搬送装置１５２は、さらに、第１搬送路２５９に設けられる、原稿を第１搬送路２５９に沿って搬送するために駆動されるターンコロ２６０と、給紙ローラ２５７から送り出された原稿を検知するとともに、原稿搬送途中にて原稿の原稿搬送方向の長さを検知するための原稿搬送センサ２６１と、ＰＳ（Ｐａｐｅｒ  Ｓｔｏｐ）ローラ２６２（及びこれと対をなすＰＳ従動ローラ２６３）と、ＰＳローラ２６２の原稿搬送方向手前の原稿を検知する原稿搬送センサ２６４と、を備える。
【００４１】
自動原稿搬送装置１５２は、さらに、第２搬送路２６５に設けられる、駆動ローラである読取前ローラ２６６（及びこれと対をなす搬送従動ローラ２６７）と、読取前ローラ２６６の原稿搬送方向手前の原稿、すなわち、原稿読取部２９０の手前にある原稿を検知する原稿搬送センサ２６８と、原稿読取部２９０の位置に設けられるプラテンローラ２６９と、原稿読取部２９０の位置から原稿を排出する駆動ローラである読取後ローラ２７０（及びこれと対をなす搬送従動ローラ２７１）と、原稿読取部２９０の位置から排出され、反転ゲート２８０，２８１の原稿搬送方向手前にある原稿を検知する原稿搬送センサ２７２と、自動原稿搬送装置１５２から排出された原稿が載置される原稿出紙トレイ２７３と、原稿出紙トレイ２７３に原稿を排出するための駆動ローラである排紙ローラ２７４（及びこれと対をなす排紙従動ローラ２７５）と、を備える。
【００４２】
自動原稿搬送装置１５２は、さらに、両面原稿の第１面が読取られた後に、その裏面である第２面を読取るために原稿を表裏反転させて原稿読取部２９０の位置まで搬送する反転搬送路２７６を備える。
【００４３】
自動原稿搬送装置１５２は、さらに、両面原稿の反転時に自動原稿搬送装置１５２から一時的に排出される原稿を載置する原稿反転トレイ２７７と、原稿反転トレイ２７７に原稿を一時的に排出するための駆動ローラである一時排紙ローラ２７８（及びこれと対をなす搬送従動ローラ２７９）と、原稿の排出先が原稿出紙トレイ２７３及び原稿反転トレイ２７７のいずれかになるように制御する反転ゲート２８０，２８１と、を備える。
【００４４】
自動原稿搬送装置１５２は、さらに、反転搬送路２７６に設けられる、駆動ローラであるパス部搬送ローラ２８２（及びこれと対をなす搬送従動ローラ２８３）と、反転された原稿を検知するための原稿搬送センサ２８４と、を備える。
【００４５】
このように、第１搬送路２５９は、原稿トレイ２５２からＰＳローラ２６２の搬送方向手前までであり、第２搬送路２６５は、ＰＳローラ２６２から排紙ローラ２７４の搬送方向手前までであり、反転搬送路２７６は、一時排紙ローラ２７８からＰＳローラ２６２の搬送方向手前までである。
【００４６】
自動原稿搬送装置１５２は、上述した構成により、原稿トレイ２５２にセットされた原稿を、画像読取部１５１の原稿読取部２９０の位置まで自動で搬送して、原稿出紙トレイ２７３へ排出する。なお、図３に示す自動原稿搬送装置１５２における、各ローラの配置及びその駆動形態（駆動ローラと従動ローラとの組合せ）は一例であって、本発明はこのような自動原稿搬送装置１５２に限定されるものではない。また、自動原稿搬送装置１５２は、反転搬送路２７６を備えないものであってもよい。
【００４７】
＜原稿サイズの検知＞
［原稿サイズ情報センサによる原稿サイズの検知］
図４は、自動原稿搬送装置１５２の上面図である。自動原稿搬送装置１５２においては、原稿トレイ２５２上に原稿がセットされた際に、原稿のサイズが検知される。図４を参照して、原稿トレイ２５２上には、上記した原稿長さ検知センサ２５４，２５５と、原稿ガイド２８５Ａ，２８５Ｂと、原稿幅検知センサ２８６と、原稿給紙部カバー２８７と、が設けられる。
【００４８】
原稿長さセンサ２５４，２５５は、原稿有無センサ２５３側から原稿の搬送方向に沿ってこの順に並んで設けられる。原稿長さセンサ２５４，２５５はその上に何もない場合にはＯＦＦの状態であり、その上に原稿がセットされた場合にはＯＮの状態になる。
【００４９】
原稿ガイド２８５Ａ，２８５Ｂは、原稿トレイ２５２にセットされた原稿を、幅方向（原稿の搬送方向に対して垂直な方向）両側から挟むようにスライド可能に設けられる。すなわち、原稿ガイド２８５Ａ，２８５Ｂは、セットされた原稿の幅方向のサイズに合わせて、スライド調整される。原稿ガイド２８５Ａ，２８５Ｂは、原稿が正常に搬送方向に搬送されるように原稿を導く役割を果たす。
【００５０】
原稿幅検知センサ２８６は、原稿の幅方向における、原稿ガイド２８５Ａ，２８５Ｂの離間距離を検知することで、原稿幅を検知する可変抵抗器（ボリューム）である。
【００５１】
原稿給紙部カバー２８７は、原稿有無センサ２５３及び給紙ローラ２５７等の上方に、開閉可能に設けられるカバー部材である。原稿給紙部カバー２８７は、原稿の紙詰まりに対する処置を行なう場合、及び、給紙ローラ２５７を清掃する場合等にユーザよって開放される。原稿給紙部カバー２８７の開閉は、原稿給紙部カバー２８７の下方に設けられるカバースイッチ（図示せず。）によって検知され、検知結果は後述する制御部３１０に対して出力される。
【００５２】
原稿長さセンサ２５４，２５５及び原稿幅検知センサ２８６（以下これらの組合せを「原稿サイズ情報センサ」と記す場合がある。）は、原稿有無センサ２５３によって原稿トレイ２５２上の原稿が検知されると、原稿トレイ２５２上にセットされた原稿の長さ及び幅をそれぞれ検知する。そして、検知結果を示す原稿長さ検知信号及び原稿幅検知信号を、制御部３１０に対してそれぞれ出力する。制御部３１０は、原稿サイズ情報センサの検知結果及び後述する原稿サイズ検知テーブルに基づいて原稿サイズを決定し、決定した原稿サイズを原稿サイズ情報として、後述する揮発性記憶デバイスであるＲＡＭ（Ｒａｎｄｏｍ  Ａｃｃｅｓｓ  Ｍｅｍｏｒｙ）３０８（図７参照）に記憶する。なお、原稿有無センサ２５３がＯＮである間は、原稿サイズ情報センサ及び制御部３１０は、コピーキーが押下されるまで、上記した原稿サイズの検知及び決定を繰返し行ない、その都度原稿サイズ情報をＲＡＭ３０８に記憶させる。
【００５３】
［原稿サイズ検知テーブル］
図５は、原稿サイズ検知テーブルの一例を示す図である。図５（Ａ）及び図５（Ｂ）を参照して、原稿サイズ検知テーブルは、後述するＨＤＤ３０２又はＲＯＭ（Ｒｅａｄ  Ｏｎｌｙ  Ｍｅｍｏｒｙ）３０６（図７参照）等の不揮発性記憶デバイスに記憶されるテーブルである。上記したように、原稿トレイ２５２上にセットされた原稿のサイズは、制御部３１０が、原稿サイズ情報センサの検知結果を基に、この原稿サイズ検知テーブルを用いて決定する。図５（Ａ）には、ＩＮＣＨ系サイズに対応するテーブルを示し、図５（Ｂ）には、日本工業規格（ＪＩＳ）によって規定されるＡＢ系サイズに対応するテーブルを示す。
【００５４】
操作装置１６６に対するユーザの入力操作によって、原稿サイズとしてＩＮＣＨ系サイズを使用することを要求する指示がなされた場合、制御部３１０は、図５（Ａ）に示す原稿サイズ検知テーブルを使用して原稿サイズを決定する。例えば、原稿幅検知センサ２８６による検知結果が２４７．０ｍｍ未満であって、かつ、原稿長さセンサ（図中、単に「センサ」と記す。）２５４，２５５が両方ともＯＦＦである場合、原稿は、５．５インチ×８．５インチの請求書（Ｉｎｖｏｉｃｅ）サイズであると決定される。原稿幅検知センサ２８６による検知結果が２４７．０ｍｍ未満であって、かつ、原稿長さセンサ２５４のみがＯＮである場合、原稿は、８．５インチ×１１インチのレター（Ｌｅｔｔｅｒ）サイズであると決定される。原稿幅検知センサ２８６による検知結果が２４７．０ｍｍ未満であって、かつ、原稿長さセンサ２５４，２５５が両方ともＯＮ、又は、原稿長さセンサ２５５のみがＯＮ（原稿が正常に載置されていれば、通常はあり得ない状態）である場合には、原稿は、予め設定された所定の設定にしたがって、８．５×１４インチのＬｅｇａｌサイズ、８．５インチ×１３インチのＦｏｏｌｓｃａｐサイズ、８．５インチ×１３．４インチのＭｅｘｉｃａｎ−Ｌｅｇａｌサイズ、及び、８．５インチ×１３．５インチのＡｓｉａｎ−Ｌｅｇａｌサイズのうちのいずれかのサイズであると決定される。
【００５５】
操作装置１６６に対するユーザの入力操作によって、原稿サイズとしてＡＢ系サイズを使用することを要求する指示がなされた場合、制御部３１０は、図５（Ｂ）に示す原稿サイズ検知テーブルを使用して原稿サイズを決定する。例えば、原稿幅検知センサ２８６による検知結果が２８８．０ｍｍ以上であって、かつ、原稿長さセンサ２５４，２５５が両方ともＯＦＦである場合、原稿はＡ４サイズであると決定される。原稿幅検知センサ２８６による検知結果が２８８．０ｍｍ以上であって、かつ、原稿長さセンサ２５４のみがＯＮ、原稿長さセンサ２５４，２５５が両方ともＯＮ、又は、原稿長さセンサ２５５のみがＯＮ（原稿が正常に載置されていれば、通常はあり得ない状態）である場合、原稿は、Ａ３サイズであると決定される。原稿幅検知センサ２８６による検知結果が２８８．０ｍｍ以上である場合の原稿サイズの決定方法は、図５（Ａ）に示す原稿サイズ検知テーブルを用いた場合も同様である。
【００５６】
［原稿搬送センサ２６１による原稿サイズの検知］
図６は、原稿搬送途中にて原稿の搬送方向の長さを検知する動作を説明するための図である。原稿トレイ２５２に異なるサイズの原稿が混ぜてセットされた場合（混載モード時）には、原稿サイズ情報センサによって、最大サイズの原稿のサイズのみが検知される。この場合、原稿サイズ情報センサによる検知のみでは、原稿サイズの検知を正確に行なうことはできない。したがって、制御部３１０は、原稿搬送途中に検知した原稿の搬送方向の長さを示す原稿搬送センサ２６１の検知結果に基づいて、原稿サイズの決定を行なう。
【００５７】
図６（Ａ）を参照して、制御部３１０は、原稿搬送センサ２６１が原稿６００を検知する（ＯＮになる）と、原稿６００の搬送方向の長さの測定を開始する。図６（Ｂ）を参照して、制御部３１０は、原稿搬送センサ２６１が原稿６００を検知しなくなる（ＯＦＦになる）と、原稿６００の搬送方向の長さの測定を終了する。すなわち、制御部３１０は、原稿搬送センサ２６１が原稿６００を検知している間に原稿６００の搬送方向の長さを測定する。この原稿６００の搬送方向の長さの測定は、例えば、以下のような手順で行なわれる。
【００５８】
本実施の形態において、給紙ローラ２５７等を駆動するモータとしてステッピングモータが使用される。制御部３１０は、原稿搬送センサ２６１がＯＮしてからＯＦＦするまでの間のステッピングモータのステップ数に基づいて、原稿６００の搬送方向の長さを測定する。例えば、１ステップあたりの搬送距離が０．０４２２ｍｍのステッピングモータを使用する場合、原稿搬送センサ２６１がＯＮしてからＯＦＦするまでに４９７６ステップ分がカウントされたとすると、４９７６×０．０４２２≒２１０．０となる。これによって、原稿の搬送方向の長さは２１０．０ｍｍであることが判り、制御部３１０は、算出した原稿長さ及び原稿幅検知センサ２８６の検知結果に基づいて、原稿がＡ４サイズの原稿であると判断できる。また、原稿搬送センサ２６１がＯＮしてからＯＦＦするまでに９９５２ステップ分がカウントされたとすると、９９５２×０．０４２２≒４２０．０となる。これによって、原稿の搬送方向の長さは４２０．０ｍｍであることが判り、制御部３１０は、算出した原稿長さ及び原稿幅検知センサ２８６の検知結果に基づいて、原稿がＡ３サイズの原稿であると判断できる。
【００５９】
［ハードウェア構成］  
図７は、画像形成装置１５０のハードウェア構成を示すブロック図である。図７を参照して、画像形成装置１５０は、画像形成処理に関する各機能の設定が可能な操作装置１６６と、ＣＰＵ３００を主たる構成とする制御部３１０と、画像読取部（スキャナ部）１５１と、画像処理部３２０と、画像記憶部３３０と、画像形成部１５４と、光学センサ部３４０（本実施の形態では、原稿有無センサ２５３、原稿搬送センサ２６１，２６４，２６８，２７２，２８４、及び、原稿長さ検知センサ２５４，２５５が該当する。）と、モータ用のドライバ３５０，３５２と、ドライバ３５０に接続されるプラテン原稿走査部駆動モータ３６０と、ドライバ３５２に接続されるピックアップローラ上下動移動モータ３６２及び原稿搬送ローラ駆動モータ３６４と、を含む。
【００６０】
原稿搬送ローラ駆動モータ３６４は、ターンコロ２６０、ＰＳローラ２６２、読取前ローラ２６６、プラテンローラ２６９及び読取後ローラ２７０等の駆動ローラを回転させる。上述したように、原稿搬送ローラ駆動モータ３６４としては、例えばステッピングモータが用いられる。
【００６１】
制御部３１０は、ＣＰＵ３００に加えて、例えば、電力が遮断された場合であってもコンピュータプログラム（以下単に「プログラム」と記す場合がある。）及びデータ等の記憶を維持可能な不揮発性記憶デバイスであるＨＤＤ（Ｈａｒｄ  Ｄｉｓｋ  Ｄｒｉｖｅ）３０２と、入出力インターフェイスであるＩ／Ｏ（Ｉｎｐｕｔ／Ｏｕｔｐｕｔ）３０４と、プログラム等を記憶するためのＲＯＭ３０６と、プログラムを実行する際の記憶領域を提供するためのＲＡＭ３０８と、をさらに含む。ＣＰＵ３００、ＨＤＤ３０２、Ｉ／Ｏ３０４、ＲＯＭ３０６及びＲＡＭ３０８は、図示しないバスで接続される。
【００６２】
ＲＯＭ３０６には、画像形成装置１５０の一般的な動作を制御するのに必要なプログラム及びデータ等とともに、後述する原稿サイズ判断処理を実現するためのプログラムが記憶される。ＣＰＵ３００は、ＲＯＭ３０６又はＨＤＤ３０２に格納されているプログラム及びデータに従って、画像形成装置１５０の各機能に関する制御を実行する。
【００６３】
ＲＡＭ３０８は、ＣＰＵ３００による演算及び処理の結果を一時的に記憶するワーキングメモリとしての機能と、画像データを記憶するフレームメモリとしての機能とを提供する。
【００６４】
操作装置１６６は、操作装置１６６の表面の右側の領域に配置される、テンキー及びその他の種々の操作ボタンであるハードウェアボタンが備えられる板状の操作パネル１７０と、操作装置１６６の中央部から左側の領域に配置される、小型のタッチパネル一体型液晶表示装置から構成される表示パネル１７２と、を含む。操作パネル１７０と表示パネル１７２とは一つの筐体に保持され、全体として一体となるように構成される。操作パネル１７０には、印刷処理の開始を要求するためのコピーキーが設けられる。
【００６５】
表示パネル１７２には、画像形成装置１５０の状態（例えば、原稿トレイ２５２上の原稿の有無状態及び形状状態等）、ジョブの処理状況、並びに、消耗部品の交換及びメンテナンス作業の要請を促すメッセージ等が表示される。表示パネル１７２の液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像形成装置１５０の機能設定及び動作指示等が行なわれる。
【００６６】
画像読取部１５１、画像形成部１５４、操作装置１６６の板状の操作パネル１７０及び表示パネル１７２、並びに、ＲＯＭ３０６、ＨＤＤ３０２及びＲＡＭ３０８に対する制御は、ＣＰＵ３００が所定のプログラムを実行することにより行なわれる。
【００６７】
なお、図７に示すように、画像処理部３２０と外部機器３９０とは画像データバス３７０によって接続され、制御部３１０と外部機器３９０とは通信ライン３８０によって接続される。この図７に示すブロック図は一例であって、本発明はこのようなブロック図に限定されるものではない。
【００６８】
［コピー設定画面８００］
図８は、表示パネル１７２に表示されるコピー設定画面８００の一例を示す図である。図８（Ａ）及び図８（Ｂ）を参照して、コピー設定画面８００は、原稿トレイ２５２上の原稿の有無状態を表示する原稿有無表示領域８０２と、原稿トレイ２５２上にセットされた原稿のサイズを表示する原稿サイズ表示領域８０４と、を含む。原稿トレイ２５２上に原稿がセットされていない場合には、原稿有無表示領域８０２及び原稿サイズ表示領域８０４には何も表示されない（図８（Ａ）参照）。一方、原稿トレイ２５２上に原稿がセットされた場合には、原稿有無表示領域８０２には原稿が有る状態であることを示すマーク（以下「原稿有りマーク」と記す。）８０６が表示され、原稿サイズ表示領域８０４には原稿サイズを示すマーク（以下「原稿サイズマーク」と記す。）８０８が表示される（図８（Ｂ）参照）。
【００６９】
［ソフトウェア構成］
図９は、本実施の形態に係る原稿サイズ判断処理を実現するためのプログラムの制御構造をフローチャート形式で示す図である。上記したようにＲＯＭ３０６に記憶されるプログラムは、原稿サイズ判断処理を実行するようにプログラミングされている。このプログラムは、制御部３１０を実質的に構成するＣＰＵ３００を含むコンピュータが、上記プログラムに従って、画像形成装置１５０の各部の動作を制御することによって、ハードウェアとプログラムとの協働により実現する各機能によって実行される。
【００７０】
原稿サイズ判断処理を実現するためのプログラムは、ユーザによって画像形成装置１５０の電源が投入されることによって起動される。なお、本実施の形態では、画像形成装置１５０の電源投入時には、原稿サイズ検知設定は通常原稿モードに自動的に設定されるものとする。ここで、原稿サイズ検知設定とは、原稿サイズ情報センサ及び原稿搬送センサ２６１のうち、いずれの検知結果に基づいて原稿サイズの最終決定を行なうかを示す設定である。通常原稿モードとは、原稿サイズ情報センサの検知結果に基づいて原稿サイズの最終決定を行なうことを示すモードである。すなわち、原稿トレイ２５２上に最終的に確定される原稿サイズの原稿がセットされているものと仮定して制御を行なうモードである。この通常原稿モードが設定された場合には、原稿サイズ情報センサの検知結果に基づいて原稿サイズが確定された時点で給紙する記録用紙が決定されるので、記録用紙を先行して給紙することが可能になる。また、ＨＤＤ３０２等の記憶デバイスにおいて、必要となる記憶領域のみを確保した状態で各種ジョブを実行できる。したがって、混載原稿モードが設定された場合と比較して、サイズエラー及び印字不良等が生じやすくなるものの、ジョブの実行速度を速めることができる。
【００７１】
図９を参照して、このプログラムは、原稿トレイ２５２上に原稿が有ると判定されるまで、すなわち、原稿有無センサ２５３がＯＮになるまで待機するステップＳ１０１と、ステップＳ１０１にて、原稿が有ると判定された場合（ＹＥＳの場合）に実行され、原稿サイズ情報センサに対し原稿サイズの検知を行なわせ、検知結果に基づく原稿サイズ情報をＲＡＭ３０８に記憶させるとともに、表示パネル１７２に表示されるコピー設定画面８００に対し、原稿有りマーク８０６及び原稿サイズマーク８０８を表示させる（図８（Ｂ）参照）ステップＳ１０２と、を含む。
【００７２】
このプログラムはさらに、コピーキーが押下されたか否かを判定するステップＳ１０３と、ステップＳ１０３にて、コピーキーが押下されたと判定された場合（ＹＥＳの場合）に実行され、ＲＡＭ３０８に記憶される最新の原稿サイズ情報に基づいて、原稿サイズを確定するステップＳ１０４と、を含む。ステップＳ１０３にて、コピーキーが押下されていないと判定された場合（ＮＯの場合）には、制御はステップＳ１０１に戻る。
【００７３】
このプログラムはさらに、ＲＡＭ３０８に記憶される全ての原稿サイズ情報を参照し、参照した原稿サイズ情報の中に、確定された原稿サイズとは異なる原稿サイズを示すものがあるか否かを判定することで、確定された原稿サイズとは異なる原稿サイズが検知されたか否かを判定するステップＳ１０５と、ステップＳ１０５にて、異なる原稿サイズが検知されたと判定された場合（ＹＥＳの場合）に実行され、原稿サイズ検知設定を通常原稿モードから混載原稿モードに切替えるステップＳ１０６と、を含む。ここで、混載原稿モードとは、原稿搬送センサ２６１の検知結果に基づいて原稿サイズの最終決定を行なうことを示すモードである。すなわち、原稿トレイ２５２上に原稿サイズの異なる複数の原稿がセットされているものと仮定して制御を行なうモードである。この混載原稿モードが設定された場合には、原稿搬送センサ２６１の検知結果に基づいて原稿サイズが確定された後に、給紙する記録用紙が決定される。また、ＨＤＤ３０２等の記憶デバイスにおいて充分な大きさの記憶領域を確保した状態で各種ジョブが実行される。したがって、通常原稿モードが設定された場合と比較してジョブの実行速度は低下するものの、原稿サイズをより一層正確に判断できるので、正しい用紙サイズを選択することができ、印字不良をより一層確実に防ぐことができる。
【００７４】
このプログラムはさらに、ステップＳ１０５にて、異なる原稿サイズが検知されていないと判定された場合（ＮＯの場合）、又は、ステップＳ１０６の処理後に実行され、自動原稿搬送装置１５２による原稿の搬送を開始するステップＳ１０７を含む。
【００７５】
［印刷処理時の動作］  
図１０は、ユーザが原稿をセットするときの様子を示す図である。図１〜図１０を参照して、自動原稿搬送装置１５２を備える画像形成装置１５０は、印刷処理時において以下のように動作する。なお、以下に示す動作を除く、画像形成装置１５０の一般的な動作は、従来の画像形成装置の動作と同じである。
【００７６】
ユーザによって画像形成装置１５０の電源が投入されると、制御部３１０は、原稿サイズ検知設定を通常原稿モードに設定する。このとき、表示パネル１７２に表示されるコピー設定画面８００には、原稿有りマーク８０６及び原稿サイズマーク８０８は表示されていない（図８（Ａ）参照）。
【００７７】
図１０（Ａ）を参照して、ユーザは、カール原稿１００２又は折れ原稿１００４を、手１００６で押さえて引き延ばした状態で、原稿トレイ２５２上にセットする。ここでは、これらの正しいサイズはＡ３サイズであるものとする。これによって、原稿有無センサ２５３がＯＮになり、制御部３１０は、原稿トレイ２５２上に原稿が有ると判定する（Ｓ１０１にてＹＥＳ）。原稿が有ると判定されると、原稿サイズ情報センサは、原稿トレイ２５２上にセットされた原稿の長さ及び幅を検知し、検知結果を示す原稿長さ検知信号及び原稿幅検知信号を、制御部３１０に対して出力する。制御部３１０は、原稿サイズ情報センサの検知結果及び原稿サイズ検知テーブルに基づいて原稿サイズを決定し、決定した原稿サイズを原稿サイズ情報として、ＲＡＭ３０８に記憶させる。このとき、決定した原稿サイズは、カール原稿１００２又は折れ原稿１００４の正しいサイズを示すＡ３サイズである。制御部３１０は、表示パネル１７２に表示されるコピー設定画面８００に対し、原稿有りマーク８０６及びＡ３サイズを示す原稿サイズマークを表示させる（Ｓ１０２）。
【００７８】
ユーザは、カール原稿１００２又は折れ原稿１００４を載置した後、コピーキーを押下するために、カール原稿１００２又は折れ原稿１００４から手１００６を離す。これによって、原稿がカール原稿１００２である場合には、カール原稿１００２は丸まり（図１０（Ｂ）参照）、折れ原稿１００４である場合には、折れ原稿１００４は折れ目に沿って折れ曲がる（図１０（Ｃ）参照）。
【００７９】
制御部３１０は、コピーキーは押下されていないと判定するとともに（Ｓ１０３にてＮＯ）、原稿トレイ２５２上に原稿が有ると判定する（Ｓ１０１にてＹＥＳ）。原稿が有ると判定されると、上記と同様にして原稿サイズ情報センサ及び制御部３１０によって原稿サイズが決定され、決定した原稿サイズに基づく原稿サイズ情報が、ＲＡＭ３０８に記憶させる。このとき、決定した原稿サイズは、カール原稿１００２又は折れ原稿１００４の正しいサイズではない、Ａ３サイズよりも小さいＡ４サイズである。制御部３１０は、表示パネル１７２に表示されるコピー設定画面８００に対し、原稿有りマーク８０６及びＡ４サイズを示す原稿サイズマーク８０８を表示させる（図８（Ｂ）参照）（Ｓ１０２）。
【００８０】
ユーザは、手１００６によって、コピーキーを押下する。制御部３１０は、コピーキーが押下されたと判定すると（Ｓ１０３にてＹＥＳ）、ＲＡＭ３０８に記憶される最新の原稿サイズ情報に基づいて、原稿サイズをＡ４サイズと確定する（Ｓ１０４）。
【００８１】
原稿サイズの確定後、制御部３１０は、ＲＡＭ３０８に記憶される全ての原稿サイズ情報を参照し、参照した原稿サイズ情報の中に、確定された原稿サイズであるＡ４サイズとは異なる原稿サイズを示すものがあるか否かを判定する（Ｓ１０５）。参照した原稿サイズ情報の中にはＡ３サイズを示すものがあるので、制御部３１０は、原稿がセットされてから原稿サイズが確定するまでの間に、確定された原稿サイズとは異なる原稿サイズが検知されたと判定し（Ｓ１０５にてＹＥＳ）、原稿サイズ検知設定を通常原稿モードから混載原稿モードに切替える（Ｓ１０６）。
【００８２】
混載原稿モードへの切替え後、自動原稿搬送装置１５２は、原稿の搬送を開始する（Ｓ１０７）。すなわち、自動原稿搬送装置１５２は、原稿トレイ２５２にセットされた原稿１００２又は１００４を、画像読取部１５１の原稿読取部２９０の位置まで自動で搬送して、原稿出紙トレイ２７３へ排出する。この原稿搬送途中において、制御部３１０は、原稿搬送センサ２６１がＯＮしてからＯＦＦするまでの間のステッピングモータのステップ数に基づいて原稿の搬送方向の長さを測定し、算出した原稿長さ及び原稿幅検知センサ２８６の検知結果に基づいて、原稿がＡ３サイズの原稿であると判断する。制御部３１０は、判断結果に基づいて、用紙カセット２４０Ａに収容される記録用紙を給紙することを決定する。
【００８３】
原稿１００２又は１００４の画像は、原稿読取部２９０の位置にて画像読取部１５１のスキャナユニット１５５によって画像データとして読取られる。その後、上記した画像形成装置１５０の各部の動作によって、給紙されたＡ３サイズの記録用紙上に画像データに基づく画像が印刷される。
【００８４】
なお、原稿トレイ２５２上に、カール原稿でも折れ原稿でもない通常の原稿がセットされた場合には、制御部３１０によって、確定された原稿サイズとは異なる原稿サイズが検知されていないと判定され（Ｓ１０５にてＮＯ）、原稿サイズ検知設定は通常原稿モードのままで、自動原稿搬送装置１５２による原稿の搬送が開始される（Ｓ１０７）。この場合、ＲＡＭ３０８に記憶される最新の原稿サイズ情報に基づいて確定された原稿サイズに基づいて、制御部３１０は、用紙カセット２４０Ａに収容される記録用紙を給紙することを決定する。
【００８５】
また、原稿トレイ２５２上に、複数の原稿が載置される場合には、全ての原稿が同サイズである可能性が高い。したがって、制御部３１０は、最初に確定した最下層の原稿の原稿サイズを、他の原稿の原稿サイズとみなす。
【００８６】
このように、自動原稿搬送装置１５２は、原稿がセットされてから原稿サイズが確定するまでの間に、確定された原稿サイズとは異なる原稿サイズが検知されたと判定した場合には、原稿がカール原稿又は折れ原稿である可能性があると判断して、原稿サイズ検知設定を通常原稿モードから混載原稿モードに自動的に切替える。したがって、カール原稿又は折れ原稿等がセットされた場合においても、原稿サイズを正確に判断することができる。
【００８７】
−第１の変形例−
画像形成装置１５０の第１の変形例は、原稿サイズ判断処理を実現するためのプログラムが異なる点を除いて、上記実施の形態に係る画像形成装置１５０と同一の構成である。
【００８８】
［ソフトウェア構成］
図１１は、本変形例に係る原稿サイズ判断処理を実現するためのプログラムの制御構造をフローチャート形式で示す図である。図１１を参照して、本変形例に係る原稿サイズ判断処理を実現するためのプログラムにおいて、ステップＳ２０６及びステップＳ２０７の処理を除く各処理は、図９に示すプログラムによって実行される各処理と同じである。以下、異なる処理について説明する。
【００８９】
このプログラムは、ステップＳ２０５にて、異なる原稿サイズが検知されたと判定された場合（ＹＥＳの場合）に実行され、表示パネル１７２に表示されるコピー設定画面８００上に、後述する確認メッセージ１２０２及び確認ボタンを表示させる（図１２参照）ステップＳ２０６と、確認ボタンのうち「はい」ボタン１２０４Ａが選択されたか否かを判定するステップＳ２０７と、を含む。ステップＳ２０７にて、「はい」ボタン１２０４Ａが選択されたと判定された場合（ＹＥＳの場合）には、制御はステップＳ２０８に移り、原稿サイズ検知設定が通常原稿モードから混載原稿モードに切替えられる。ステップＳ２０７にて、「はい」ボタン１２０４Ａが選択されず「いいえ」ボタン１２０４Ｂが選択されたと判定された場合（ＮＯの場合）には、制御はステップＳ２０９に移り、自動原稿搬送装置１５２による原稿の搬送が開始される。
【００９０】
［確認メッセージ１２０２及び確認ボタン］
図１２は、コピー設定画面８００上に表示される確認メッセージ１２０２及び確認ボタンの一例を示す図である。図１２を参照して、制御部３１０によって、原稿がセットされてから原稿サイズが確定するまでの間に、確定された原稿サイズとは異なる原稿サイズが検知されたと判定された場合には、コピー設定画面８００上に、確認メッセージ１２０２、並びに、確認ボタンである「はい」ボタン１２０４Ａ及び「いいえ」ボタン１２０４Ｂが表示される。確認メッセージ１２０２とは、例えば「原稿折れの可能性があります。混載原稿モードに切り替えますか？」等の、ユーザに対し、原稿サイズ検知設定を切替えるか否かを判断させるためのメッセージのことである。
【００９１】
［印刷処理時の動作］  
図１１及び図１２を参照して、画像形成装置１５０の第１の変形例は、印刷処理時において以下のように動作する。なお、以下に示す動作を除いた画像形成装置１５０の第１の変形例の動作は、上記実施の形態に係る画像形成装置１５０の動作と同じである。
【００９２】
制御部３１０は、原稿がセットされてから原稿サイズが確定するまでの間に、確定された原稿サイズとは異なる原稿サイズが検知されたと判定すると（Ｓ２０５にてＹＥＳ）、表示パネル１７２に表示されるコピー設定画面８００上に、確認メッセージ１２０２及び確認ボタン（図１２参照）を表示させる（Ｓ２０６）。
【００９３】
ユーザは、確認メッセージ１２０２を確認して、確認ボタンのうち「はい」ボタン１２０４Ａを選択して押下する。制御部３１０は、「はい」ボタン１２０４Ａが選択されたと判定し（ステップＳ２０７にてＹＥＳ）、原稿サイズ検知設定を通常原稿モードから混載原稿モードに切替える（Ｓ２０８）。
【００９４】
一方、ユーザが確認ボタンのうち「いいえ」ボタン１２０４Ｂを選択して押下した場合には、制御部３１０は、「いいえ」ボタン１２０４Ｂが選択されたと判定し（ステップＳ２０７にてＮＯ）、自動原稿搬送装置１５２に対し、原稿の搬送を開始させる（Ｓ２０９）。
【００９５】
このように、自動原稿搬送装置１５２は、原稿がセットされてから原稿サイズが確定するまでの間に、確定された原稿サイズとは異なる原稿サイズが検知されたと判定した場合には、原稿がカール原稿又は折れ原稿である可能性があると判断して、原稿サイズ検知設定を通常原稿モードから混載原稿モードに切替えるか否かをユーザに判断させる。そして、ユーザの判断結果に基づいて、原稿サイズ検知設定の切替えが手動で実行される。したがって、カール原稿又は折れ原稿等がセットされた場合においても、原稿サイズをより一層正確に判断することができる。
【００９６】
−第２の変形例−
画像形成装置１５０の第２の変形例は、原稿サイズ判断処理を実現するためのプログラムが異なる点を除いて、上記実施の形態に係る画像形成装置１５０と同一の構成である。
【００９７】
［ソフトウェア構成］
図１３は、本変形例に係る原稿サイズ判断処理を実現するためのプログラムの制御構造をフローチャート形式で示す図である。図１３を参照して、本変形例に係る原稿サイズ判断処理を実現するためのプログラムにおいて、ステップＳ３０６〜ステップＳ３０８の処理を除く各処理は、図９に示すプログラムによって実行される各処理と同じである。以下、異なる処理について説明する。
【００９８】
このプログラムは、ステップＳ３０５にて、異なる原稿サイズが検知されたと判定された場合（ＹＥＳの場合）に実行され、表示パネル１７２に表示されるコピー設定画面８００上に、後述する確認メッセージ１４０２及び選択ボタン１４０４を表示させる（図１４参照）ステップＳ３０６と、選択ボタン１４０４のうちのいずれかが選択されるまで待機するステップＳ３０７と、ステップＳ３０７にて、選択ボタン１４０４のうちのいずれかが選択されたと判定された場合（ＹＥＳの場合）に実行され、選択された選択ボタン１４０４に基づいて、確定された原稿サイズを更新するステップＳ３０８と、を含む。
【００９９】
［確認メッセージ１４０２及び選択ボタン１４０４］
図１４は、コピー設定画面８００上に表示される確認メッセージ１４０２及び選択ボタン１４０４の一例を示す図である。図１４（Ａ）を参照して、制御部３１０によって、原稿がセットされてから原稿サイズが確定するまでの間に、確定された原稿サイズとは異なる原稿サイズが検知されたと判定された場合には、コピー設定画面８００上に、確認メッセージ１４０２、並びに、選択ボタン１４０４Ａ〜１４０４Ｄが表示される。確認メッセージ１４０２とは、例えば「原稿折れの可能性があります。適切なサイズを選択して下さい。」等の、ユーザに対し、原稿サイズの選択を促すメッセージのことである。選択ボタン１４０４Ａ〜１４０４Ｄは、確定された原稿サイズに基づいて、正しい原稿サイズである可能性が高いと判断される原稿サイズの全てが選択可能となるように表示される。選択ボタン１４０４としては、上記構成に限定されるものではなく、例えば、原稿がセットされてから原稿サイズが確定するまでの間に検知された原稿サイズの全てが選択可能になるように表示されてもよい。また、確定された原稿サイズと同幅の原稿サイズの全てが選択可能となるように表示されてもよい。例えば、図１４（Ｂ）を参照して、確定された原稿サイズの原稿幅が２８８．０ｍｍ以上の場合には、選択ボタン１４０４として、Ａ４サイズを示す選択ボタン１４０４Ｃと、Ａ３サイズを示す選択ボタン１４０４Ｄと、が表示される。
【０１００】
［印刷処理時の動作］  
図１３及び図１４を参照して、画像形成装置１５０の第２の変形例は、印刷処理時において以下のように動作する。なお、以下に示す動作を除いた画像形成装置１５０の第２の変形例の動作は、上記実施の形態に係る画像形成装置１５０の動作と同じである。
【０１０１】
制御部３１０は、原稿がセットされてから原稿サイズが確定するまでの間に、確定された原稿サイズとは異なる原稿サイズが検知されたと判定すると（Ｓ３０５にてＹＥＳ）、表示パネル１７２に表示されるコピー設定画面８００上に、確認メッセージ１４０２及び選択ボタン１４０４を表示させる（Ｓ３０６）。このとき、制御部３１０は、確定された原稿サイズに基づいて、正しい原稿サイズである可能性が高いと判断される原稿サイズの全てが選択可能となるように、選択ボタン１４０４Ａ〜１４０４Ｄを表示させる（図１４（Ａ）参照）、又は、確定された原稿サイズの原稿幅が２８８．０ｍｍ以上であるので、同幅の別サイズ原稿を示す、Ａ４サイズを示す選択ボタン１４０４Ｃと、Ａ３サイズを示す選択ボタン１４０４Ｄと、を表示させる（図１４（Ｂ）参照）。
【０１０２】
ユーザは、確認メッセージ１４０２を確認して、選択ボタン１４０４のうち、正しい原稿サイズに対応する選択ボタン、例えばＡ３サイズを示す選択ボタン１４０４Ｄを選択して押下する。制御部３１０は、選択ボタン１４０４のうちのいずれかが選択されたと判定し（ステップＳ３０７にてＹＥＳ）、選択された選択ボタン１４０４Ｄに基づいて、確定された原稿サイズを更新して、Ａ３サイズとする（Ｓ３０８）。
【０１０３】
このように、自動原稿搬送装置１５２は、原稿がセットされてから原稿サイズが確定するまでの間に、確定された原稿サイズとは異なる原稿サイズが検知されたと判定した場合には、原稿がカール原稿又は折れ原稿である可能性があると判断して、正しい原稿サイズをユーザに選択させる。そして、ユーザの選択結果に基づいて、確定された原稿サイズが更新される。したがって、カール原稿又は折れ原稿等がセットされた場合においても、原稿サイズをより一層正確に判断することができる。
【０１０４】
−第３の変形例−
画像形成装置１５０の第３の変形例は、原稿サイズ判断処理を実現するためのプログラムが異なる点を除いて、上記実施の形態に係る画像形成装置１５０と同一の構成である。
【０１０５】
［ソフトウェア構成］
図１５は、本変形例に係る原稿サイズ判断処理を実現するためのプログラムの制御構造をフローチャート形式で示す図である。図１５を参照して、本変形例に係る原稿サイズ判断処理を実現するためのプログラムにおいて、ステップＳ４０６の処理を除く各処理は、図９に示すプログラムによって実行される各処理と同じである。以下、異なる処理について説明する。
【０１０６】
このプログラムは、ステップＳ４０５にて、異なる原稿サイズが検知されたと判定された場合（ＹＥＳの場合）に実行され、異なる原稿サイズの検知が、原稿サイズの確定時から遡って予め定める所定時間以内の間に行なわれたか否かを判定するステップＳ４０６を含む。ステップＳ４０６にて、異なる原稿サイズの検知が、原稿サイズの確定時から遡って予め定める所定時間以内の間に行なわれたと判定された場合（ＹＥＳの場合）には、制御はステップＳ４０７に移り、原稿サイズ検知設定が通常原稿モードから混載原稿モードに切替えられる。ステップＳ４０６にて、異なる原稿サイズの検知が、原稿サイズの確定時から遡って予め定める所定時間以内の間に行なわれていないと判定された場合（ＮＯの場合）には、制御はステップＳ４０８に移り、自動原稿搬送装置１５２による原稿の搬送が開始される。
【０１０７】
［印刷処理時の動作］  
図１５を参照して、画像形成装置１５０の第３の変形例は、印刷処理時において以下のように動作する。なお、以下に示す動作を除いた画像形成装置１５０の第３の変形例の動作は、上記実施の形態に係る画像形成装置１５０の動作と同じである。
【０１０８】
制御部３１０は、原稿がセットされてから原稿サイズが確定するまでの間に、確定された原稿サイズとは異なる原稿サイズが検知されたと判定すると（Ｓ４０５にてＹＥＳ）、異なる原稿サイズの検知が、原稿サイズの確定時から遡って予め定める所定時間以内（本変形例では３秒以内）の間に行なわれたか否かを判定する（Ｓ４０６）。
【０１０９】
制御部３１０は、異なる原稿サイズの検知が、原稿サイズの確定時から遡って３秒以内の間に行なわれた場合には（Ｓ４０６にてＹＥＳ）、同一原稿に対する誤検知が生じた可能性があると判断し、原稿サイズ検知設定を通常原稿モードから混載原稿モードに切替える（Ｓ４０７）。一方、異なる原稿サイズの検知が、原稿サイズの確定時から遡って３秒以内の間に行なわれていない場合には（Ｓ４０６にてＮＯ）、異なる原稿に対する異なる検知結果である可能性があると判断し、自動原稿搬送装置１５２による、原稿の搬送を開始させる（Ｓ４０８）。
【０１１０】
このように、自動原稿搬送装置１５２は、原稿がセットされてから原稿サイズが確定するまでの間に、確定された原稿サイズとは異なる原稿サイズが検知されたと判定した場合であって、異なる原稿サイズの検知が、原稿サイズの確定時から遡って予め定める所定時間以内の間に行なわれた場合には、同一原稿に対する誤検知が生じた可能性がある、すなわち、原稿がカール原稿又は折れ原稿である可能性があると判断して、原稿サイズ検知設定を通常原稿モードから混載原稿モードに自動的に切替える。したがって、カール原稿又は折れ原稿等がセットされた場合においても、原稿サイズをさらに正確に判断することができる。
【０１１１】
−第４の変形例−
画像形成装置１５０の第４の変形例は、原稿サイズ判断処理を実現するためのプログラムが異なる点を除いて、上記実施の形態に係る画像形成装置１５０と同一の構成である。
【０１１２】
［ソフトウェア構成］
図１６は、本変形例に係る原稿サイズ判断処理を実現するためのプログラムの制御構造をフローチャート形式で示す図である。図１６を参照して、本変形例に係る原稿サイズ判断処理を実現するためのプログラムにおいて、ステップＳ５０６の処理を除く各処理は、図９に示すプログラムによって実行される各処理と同じである。以下、異なる処理について説明する。
【０１１３】
このプログラムは、ステップＳ５０５にて、異なる原稿サイズが検知されたと判定された場合（ＹＥＳの場合）に実行され、確定された原稿サイズと、上記検知された異なる原稿サイズとが、同幅の別サイズ原稿を示すものであるか否かを判定するステップＳ５０６を含む。ステップＳ５０６にて、同幅の別サイズ原稿を示すものであると判定された場合（ＹＥＳの場合）には、制御はステップＳ５０７に移り、原稿サイズ検知設定が通常原稿モードから混載原稿モードに切替えられる。ステップＳ５０６にて、同幅の別サイズ原稿を示すものではないと判定された場合（ＮＯの場合）には、制御はステップＳ５０８に移り、自動原稿搬送装置１５２による原稿の搬送が開始される。
【０１１４】
［印刷処理時の動作］  
図１６を参照して、画像形成装置１５０の第４の変形例は、印刷処理時において以下のように動作する。なお、以下に示す動作を除いた画像形成装置１５０の第４の変形例の動作は、上記実施の形態に係る画像形成装置１５０の動作と同じである。
【０１１５】
制御部３１０は、原稿がセットされてから原稿サイズが確定するまでの間に、確定された原稿サイズとは異なる原稿サイズが検知されたと判定すると（Ｓ５０５にてＹＥＳ）、確定された原稿サイズと、上記検知された異なる原稿サイズとが、同幅の別サイズ原稿を示すものであるか否かを判定する（Ｓ５０６）。
【０１１６】
制御部３１０は、同幅の別サイズ原稿を示すものであると判定した場合には（Ｓ５０６にてＹＥＳ）、同一原稿に対する誤検知が生じた可能性があると判断し、原稿サイズ検知設定を通常原稿モードから混載原稿モードに切替える（Ｓ５０７）。一方、同幅の別サイズ原稿を示すものではないと判定した場合には（Ｓ５０６にてＮＯ）、異なる原稿に対する異なる検知結果である可能性があると判断し、自動原稿搬送装置１５２による、原稿の搬送を開始させる（Ｓ５０８）。
【０１１７】
このように、自動原稿搬送装置１５２は、原稿がセットされてから原稿サイズが確定するまでの間に、確定された原稿サイズとは異なる原稿サイズが検知されたと判定した場合であって、確定された原稿サイズと、上記検知された異なる原稿サイズとが、同幅の別サイズ原稿を示すものである場合には、同一原稿に対する誤検知が生じた可能性がある、すなわち、原稿がカール原稿又は折れ原稿である可能性があると判断して、原稿サイズ検知設定を通常原稿モードから混載原稿モードに自動的に切替える。したがって、カール原稿又は折れ原稿等がセットされた場合においても、原稿サイズをさらに正確に判断することができる。
【０１１８】
＜作用・効果＞  
上記実施の形態及びその変形例によれば、自動原稿搬送装置１５２は、原稿画像を読取るための原稿読取部２９０に対して原稿を自動で搬送する自動原稿搬送装置であって、搬送される原稿を載置するための原稿トレイ２５２と、原稿トレイ２５２上の原稿のサイズ情報を検知するための原稿サイズ情報センサと、原稿画像の読取開始の要求を受付ける操作パネル１７０のコピーキーと、コピーキーが要求を受付けたことに応答して、原稿サイズ情報センサの検知結果に基づいて、原稿が載置されてから要求を受付けるまでの間に、サイズ情報の変化があったか否かを判定する判定機能、判定機能によってサイズ情報の変化があったと判定された場合に、サイズ情報の誤検知が生じた可能性があると判断する判断機能、及び、判定機能によってサイズ情報の変化がなかったと判定された場合に、サイズ情報に基づいて、原稿トレイに載置された原稿の原稿サイズを確定する確定機能を有する制御部３１０と、を含む。
【０１１９】
このように、自動原稿搬送装置１５２は、原稿が載置されてから原稿画像の読取開始の要求を受付けるまでの間に、原稿サイズ情報センサによって検知された原稿のサイズ情報の変化があったと判定された場合には、サイズ情報の誤検知が生じた可能性があると判断する。したがって、原稿トレイ２５２に、カール原稿又は折れ原稿等がセットされた場合に生じるサイズ情報の誤検知を防止することができるので、カール原稿又は折れ原稿等がセットされた場合においても、原稿サイズを正確に判断することができる。
【０１２０】
さらに上記実施の形態及びその変形例によれば、自動原稿搬送装置１５２は、原稿の搬送途中にて、原稿のサイズ情報を検知するための原稿搬送センサ２６１をさらに含み、制御部３１０は、判断機能によって、サイズ情報の誤検知が生じた可能性があると判断された場合に、原稿搬送センサ２６１に対し、原稿のサイズ情報を検知させる制御機能をさらに有する。このように、自動原稿搬送装置１５２は、サイズ情報の誤検知が生じた可能性があると判断された場合に、原稿搬送センサ２６１によって原稿のサイズ情報の再検知を行なう。したがって、原稿トレイ２５２に、カール原稿又は折れ原稿等がセットされた場合においても、正確な原稿サイズ情報を確実に得ることができる。
【０１２１】
また上記実施の形態及びその変形例によれば、制御部３１０の確定機能は、判定機能によってサイズ情報の変化があったと判定された場合には、原稿搬送センサ２６１によって検知されたサイズ情報に基づいて、原稿トレイ２５２に載置された原稿の原稿サイズを確定する。このように、再検知した原稿サイズに基づいて原稿サイズを確定するので、原稿トレイ２５２に、カール原稿又は折れ原稿等がセットされた場合においても、正確な原稿サイズ情報をさらに確実に得ることができる。
【０１２２】
また上記第１及び第２の変形例によれば、自動原稿搬送装置１５２は、制御部３１０の判断機能によって、サイズ情報の誤検知が生じた可能性があると判断された場合に、例えば、確認メッセージ１２０２，１４０２等によって、ユーザに対し、サイズ情報の誤検知が生じたことを通知する通知機能をさらに含む。これによって、ユーザは、サイズ情報の誤検知が生じたことを容易に知ることができるので、ユーザの利便性がより一層向上する。
【０１２３】
また上記第２の変形例によれば、自動原稿搬送装置１５２は、表示パネル１７２をさらに含み、制御部３１０は、判断機能によって、サイズ情報の誤検知が生じた可能性があると判断された場合に、表示パネル１７２に対し、原稿の正しいサイズ情報をユーザに選択させるための複数の選択ボタン１４０４を表示させる表示制御機能と、選択ボタン１４０４に基づくユーザの選択結果を受付ける選択受付機能と、をさらに有する。
【０１２４】
このように、サイズ情報の誤検知が生じた可能性があると判断された場合に、ユーザに対し、原稿の正しいサイズ情報を選択させるので、原稿トレイ２５２に、カール原稿又は折れ原稿等がセットされた場合においても、正確な原稿サイズ情報をさらに確実に得ることができる。
【０１２５】
また上記実施の形態及びその変形例によれば、原稿サイズ情報センサは、原稿の搬送方向の長さを検知する原稿長さ検知センサ２５４，２５５と、原稿の搬送方向に対して垂直方向の長さを検知する原稿幅検知センサ２８６と、を含む。これによって、原稿のサイズ情報の変化をより正確に検知することができる。したがって、原稿トレイ２５２に、カール原稿又は折れ原稿等がセットされた場合に生じるサイズ情報の誤検知をより一層確実に防止することができる。
【０１２６】
また上記実施の形態及びその変形例によれば、制御部３１０の判断機能は、判定機能によって、原稿長さ検知センサ２５４，２５５によって検知されたサイズ情報の変化があったと判定された場合に、サイズ情報の誤検知が生じた可能性があると判断する。このように、原稿長さ検知センサ２５４，２５５の検知結果に基づいて、サイズ情報の誤検知が生じた可能性があることを判断するので、原稿トレイ２５２に、カール原稿又は折れ原稿等がセットされた場合に生じるサイズ情報の誤検知をさらに確実に防止することができる。
【０１２７】
また上記実施の形態及びその変形例によれば、制御部３１０の確定機能は、複数の原稿が原稿トレイ２５２に載置された場合に、最初に確定した原稿サイズを、他の原稿の原稿サイズとみなす。複数の原稿が原稿トレイ２５２に載置される場合には、全て同サイズの原稿である可能性が高い。したがって、上記したように、最初に確定した原稿サイズを他の原稿の原稿サイズとみなすことによって、制御部３１０にかかる負荷を低減することができる。
【０１２８】
また上記実施の形態及びその変形例によれば、画像形成装置１５０は、自動原稿搬送装置１５２を含む。したがって、原稿サイズの誤検知に起因する印刷処理のキャンセル及び印字不良等の不具合を低減することができる。
【０１２９】
なお、上記実施の形態、並びに、第３及び第４の変形例においては、原稿サイズ検知設定が通常原稿モードから混載原稿モードに自動的に切替わる際に、コピー設定画面８００上に新たな表示を行なわなかったが、本発明はそのような実施の形態に限定されない。図１７は、モード切替時において、コピー設定画面８００上に表示される通知メッセージ１７０２の一例を示す図である。図１７を参照して、混載原稿モードへの切替え時には、表示パネル１７２に表示されるコピー設定画面８００上に、例えば、「コピー中です。（混載モード切替）」等の、混載原稿モードへの切替えを行なった旨をユーザに通知する通知メッセージ１７０２を表示してもよい。
【０１３０】
また上記第２の変形例では、混載原稿モードへの切替処理は行なわれなかったが、本発明はそのような実施の形態には限定されない。例えば、確認メッセージ１４０２及び選択ボタン１４０４の表示とともに、混載原稿モードへの切替処理を行なってもよい。
【０１３１】
また上記第３及び第４の変形例では、原稿がセットされてから原稿サイズが確定するまでの間に、確定された原稿サイズとは異なる原稿サイズが検知されたと判定した場合であって、異なる原稿サイズの検知が原稿サイズの確定時から遡って予め定める所定時間以内の間に行なわれた場合、又は、確定された原稿サイズと、検知された異なる原稿サイズとが同幅の別サイズ原稿を示すものである場合には、混載原稿モードへの切替えが行なわれたが、本発明はそのような実施の形態には限定されない。例えば、原稿がセットされてから原稿サイズが確定するまでの間に、確定された原稿サイズとは異なる原稿サイズが検知されたと判定した場合であって、異なる原稿サイズの検知が原稿サイズの確定時から遡って予め定める所定時間以内の間に行なわれ、かつ、確定された原稿サイズと、検知された異なる原稿サイズとが同幅の別サイズ原稿を示すものである場合に、混載原稿モードへの切替えが行なわれてもよい。
【０１３２】
また、上記実施の形態及び変形例において、画像形成装置１５０の電源投入時には、通常原稿モードが自動的に設定されたが、本発明はそのような実施の形態に限定されない。例えば、予めユーザがデフォルト設定として設定しておいたモード（通常原稿モード又は混載原稿モード）に従って、原稿モードが設定されてもよい。
【０１３３】
また、上記実施の形態及び変形例において、画像形成装置１５０は、電子写真方式の画像形成装置であったが、本発明はこのような実施の形態には限定されない。例えば、複写機（コピー機）、ファクシミリ装置及びスキャナ装置等のうちのいずれかであってもよい。
【０１３４】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【０１３５】
１５０  画像形成装置
１５１  画像読取部
１５２  自動原稿搬送装置
１５３  原稿台
１５５  スキャナユニット
１６６  操作装置
１７０  操作パネル
１７２  表示パネル
２５２  原稿トレイ
２５３  原稿有無センサ
２５４，２５５  原稿長さ検知センサ
２６１  原稿搬送センサ
２８５  原稿ガイド
２８６  原稿幅検知センサ
２９０  原稿読取部
３１０  制御部
【図１】
2011046487.tif 000003
【図２】
2011046487.tif 000004
【図３】
2011046487.tif 000005
【図４】
2011046487.tif 000006
【図５】
2011046487.tif 000007
【図６】
2011046487.tif 000008
【図７】
2011046487.tif 000009
【図８】
2011046487.tif 000010
【図９】
2011046487.tif 000011
【図１０】
2011046487.tif 000012
【図１１】
2011046487.tif 000013
【図１２】
2011046487.tif 000014
【図１３】
2011046487.tif 000015
【図１４】
2011046487.tif 000016
【図１５】
2011046487.tif 000017
【図１６】
2011046487.tif 000018
【図１７】
2011046487.tif 000019